(57)【要約】【課題】シート展張作業の施工性が良く、しかも現場での展張状態の微調整が可能なシート固定装置を提供する。【解決手段】シート固定装置１は、内部レール３と、内部レール３を収容可能な溝９を有するレール保持部８を四辺それぞれに有する矩形形状の枠体２と、内部レール３の幅Ｗを広げる拡幅手段４とを備える。内部レール３が溝９に収容された状態では、溝９の内壁１０と内部レール３との間には、シート５０の端部５１が配置される隙間１９が形成される。拡幅手段４が内部レール３の幅Ｗを広げることにより、隙間１９に配置されるシート５０の端部５１を内部レール３の両側面３ａ、３ａとそれぞれに対向する内壁１０とによって挟んで溝９内部に保持することが可能である。【選択図】図７
2019219611.tif 000002
【特許請求の範囲】
【請求項１】
シートを所定の場所に展張するためにシートの端部を固定する装置において、
幅を変えることが可能な内部レールと、
前記内部レールを収容可能な溝を有するレール保持部を備えた枠体と、
前記内部レールの幅を広げる拡幅手段とを備え、
前記内部レールが前記溝に収容された状態では、前記溝の内壁と前記内部レールとの間には、前記シートの端部が配置される隙間が形成され、
前記拡幅手段が前記内部レールの幅を広げることにより、前記隙間に配置される前記シートの端部を前記内部レールの幅方向両側の側面とそれぞれに対向する前記内壁とによって挟んで前記溝内部に保持することが可能な機能を有する、
ことを特徴とするシート固定装置。
【請求項２】
前記拡幅手段は、前記内部レールの長手方向に並ぶように複数配置されている、請求項１に記載のシート固定装置。
【請求項３】
前記内部レールは、前記拡幅手段によって当該内部レールの幅が広げられる力を受ける部分の近傍だけ部分的に弾性変形して当該幅の拡大が可能な性質を有する軟質の樹脂によって製造されている、
請求項１または２に記載のシート固定装置。
【請求項４】
前記内部レールは、前記溝に挿入される挿入方向の前方側においてヒンジ結合され、幅方向に開閉可能な一対の部品を有する、
請求項１〜３のいずれか１項に記載のシート固定装置。
【請求項５】
前記一対の部品の対向する部分には、前記挿入方向へ向かうにつれて互いに離間する方向に傾斜した一対の対向傾斜面が形成され、
前記拡幅手段は、前記一対の対向傾斜面に当接し、前記挿入方向およびその反対方向に移動可能な固定ピースと、当該固定ピースを前記挿入方向およびその反対方向に移動させる固定ピース移動部とを有する、
請求項４に記載のシート固定装置。
【請求項６】
前記固定ピースは、前記挿入方向と直交する方向の両側に側面を有し、当該両側面は、前記挿入方向の前方側ほど互いに離間するように湾曲した曲面からなる請求項５記載のシート固定装置。
【請求項７】
前記固定ピースは、前記挿入方向に形成されたねじ穴を有し、
前記固定ピース移動部は、前記挿入方向に延び、前記ねじ穴に螺合するねじを有する、
請求項５または６に記載のシート固定装置。
【請求項８】
前記レール保持部は、前記溝の開口付近において当該開口の内側に突出する突起が設けられている、請求項１〜７のいずれか１項に記載のシート固定装置。
【請求項９】
前記溝の開口を覆う蓋をさらに備えている、請求項１〜８のいずれか１項に記載のシート固定装置。
【請求項１０】
請求項１に記載のシート固定装置を用いたシート固定方法であって、
前記シートの端部を前記内部レールの両側面に当接させた状態で、前記内部レールを前記レール保持部の前記溝に挿入することにより、前記シートの端部を前記溝の内壁と前記内部レールとの間に形成された隙間に配置する挿入工程と、
前記シートを展張した状態で前記内部レールの幅を前記拡幅手段によって広げることによって、前記シートの端部を前記内部レールの両側面とそれぞれに対向する前記内壁とによって挟んで前記溝内部に保持する保持工程と
を含むことを特徴とするシート固定方法。
【請求項１１】
請求項１に記載のシート固定装置と、
前記シート固定装置によって端部が固定されたシートと
を備えたことを特徴とするパネル。
【発明の詳細な説明】
【技術分野】
【０００１】
本発明は、シートを所定の場所に展張するためにシート端部を固定するシート固定装置、および当該シート固定装置を用いたシート固定方法、ならびに当該シート固定装置およびシートを備えたパネルに関する。
【背景技術】
【０００２】
一般に、展示会場などの仮設のブースの壁や天井などはシートが展張されたパネルが用いられている。このようなパネルは、シートを所定の場所に展張するために、シート端部を固定するシート固定装置を備えている。
【０００３】
従来のシート固定装置の一例として、特許文献１には、シートを枠体に囲まれた部分に展張する展張装置が開示されている。
【０００４】
この特許文献１記載の展張装置は、枠体と、シートを枠体に係止するための係止プレートとを備えている。
【０００５】
枠体の表面側（シートが張られる面の側）には、当該枠体の周方向に沿って係止溝が形成されている。
【０００６】
係止プレートは、枠体の係止溝に係合可能な矩形断面形状を有している。係止プレートは、弾性材料から製造され、係止溝の幅と同じかまたは当該幅よりも若干大きい厚さになるように形成されている。係止プレートは、シートの裏面側の周縁部に装着されている。
【０００７】
係止プレートをシートに装着する方法として、シートを係止プレートに縫い付けたり、ステープルで固定したり、または、粘着、融着、溶着などの固着方法などによって行われる。
【０００８】
また、係止プレートにおけるシートに装着された面と反対側の面には、係止溝の深さ方向に間隔をおいて複数の突起が形成されている。
【０００９】
この展張装置では、シートの裏面に装着された係止プレートを圧縮しながら枠体の係止溝に押し込むことによって、シートを枠体の表面側に展張した状態で保持することが可能である。
【先行技術文献】
【特許文献】
【００１０】
【特許文献１】特許第５９６７７４０号公報
【発明の概要】
【発明が解決しようとする課題】
【００１１】
しかし、特許文献１記載の展張装置では、シートの端部を固定してシートを展張する作業を行う際に、事前に、シートを係止プレートに縫い付けたりするなどして、係止プレートをシートの周縁部に装着する工程が必要であり、シートの施工性が悪いという問題がある。
【００１２】
また、上記の展張装置の構成では、シートの裏面側に装着された係止プレートが枠体の係止溝に押し込まれることによって、シートが枠体の表面側に展張されるようになっている。このような構造では、係止プレートが係止溝の内部で拘束されており、展張後のシートの張力の調整が困難であるので、シートの展張状態を現場で微調整することができないという問題がある。
【００１３】
本発明は、上記の事情に鑑みてなされたものであって、シートの施工性が良く、しかも現場での展張状態の微調整が可能なシート固定装置を提供することを目的とする。
【課題を解決するための手段】
【００１４】
上記の課題を解決するために、本発明のシート固定装置は、シートを所定の場所に展張するためにシートの端部を固定する装置において、
外方を向く両側面を有する内部レールであって、幅を変えることが可能な内部レールと、
前記内部レールを収容可能な溝を有するレール保持部を備えた枠体と、
前記内部レールの幅を広げる拡幅手段とを備え、
前記内部レールが前記溝に収容された状態では、前記溝の内壁と前記内部レールとの間には、前記シートの端部が配置される隙間が形成され、
前記拡幅手段が前記内部レールの幅を広げることにより、前記隙間に配置される前記シートの端部を前記内部レールの幅方向両側の側面とそれぞれに対向する前記内壁とによって挟んで前記溝内部に保持することが可能な機能を有する、
ことを特徴とする。
【００１５】
かかる構成によれば、シートの端部を固定してシートを展張する作業が容易であり、シートの施工性が良い。すなわち、このシート固定装置では、シートの端部を内部レールによって押さえながら内部レールと枠体のレール保持部の溝の内壁との間に形成された隙間に挿入した状態で、拡幅手段によって内部レールの幅を広げる。これにより、シートの端部を内部レールの両側面とそれぞれに対向する内壁とによって挟んで溝内部に展張した状態で保持することができ、シートを展張した状態で枠体に固定することができる。したがって、上記の構成では、上述の特許文献１記載の展張装置のように、シートを展張する前に、あらかじめシートの周縁部に係止プレートをシートの縫い付けなどによって装着する必要がなく、シートを生地の状態のまま現場で容易に展張することが可能であり、シートの施工性が非常に良い。
【００１６】
また、この構成では、シートの展張状態を現場で容易に微調整することが可能である。すなわち、展張状態を微調整する場合には、シートが展張状態で保持されている状態から、拡幅手段を操作して内部レールの幅を狭めてシートの端部を内部レールとレール保持部の溝の内壁との間の挟む力を弱める。これにより、シートの展張状態（具体的には張力）を容易に微調整することが可能である。また、微調整した後に拡幅手段を操作して内部レールの幅を広げて内部レールと溝の内壁との間の挟む力を強めればシートを展張した状態で確実に保持することが可能である。
【００１７】
前記拡幅手段は、前記内部レールの長手方向に並ぶように複数配置されているのが好ましい。
【００１８】
かかる構成によれば、複数の拡幅手段から内部レールへ拡幅方向の力が分散して与えられるので、シートの端部を内部レールの長手方向全体にわたって確実に保持することが可能である。
【００１９】
前記内部レールは、前記拡幅手段によって当該内部レールの幅が広げられる力を受ける部分の近傍だけ部分的に弾性変形して当該幅の拡大が可能な性質を有する軟質の樹脂によって製造されているのが好ましい。
【００２０】
内部レールが上記の性質を有する軟質の樹脂によって製造されているので、拡幅手段によって当該内部レールの幅が広げられる力を受けたときに当該力を受けた部分の近傍だけ部分的に弾性変形して当該幅の拡大が可能になる。したがって、拡幅手段の操作によって設置場所の近傍だけ内部レールを幅の拡大および縮小が可能になる。その結果、拡幅手段の近傍の位置においてシートの端部の展張状態を部分的に微調整する場合には、拡幅手段を操作して拡幅手段から内部レールへ与える力を弱めて拡幅手段の近傍だけ内部レールの幅を縮小してシートの端部を保持する力を弱めることが可能になり、シートの展張状態を部分的に微調整することが可能である。微調整した後は、内部レールを拡幅すればシートを展張した状態で確実に保持することが可能である。
【００２１】
とくに、拡幅手段が内部レールの長手方向に並ぶように複数配置されている場合には、ある１つの拡幅手段のみ操作してシートの端部を保持する力を弱め、他の拡幅手段によるシートの端部を保持する力を維持することが可能であり、複数の拡幅手段のそれぞれの部分についてシートの展張状態を個別に微調整することが可能である。
【００２２】
前記内部レールは、前記溝に挿入される挿入方向の前方側においてヒンジ結合され、幅方向に開閉可能な一対の部品を有するのが好ましい。
【００２３】
かかる構成によれば、簡単な構造で確実に幅を変えることが可能な内部レールを構成することが可能である。そのため、内部レールの製造が容易であり、故障などの不具合が少ない。
【００２４】
前記一対の部品の対向する部分には、前記挿入方向へ向かうにつれて互いに離間する方向に傾斜した一対の対向傾斜面が形成され、
前記拡幅手段は、前記一対の対向傾斜面に当接し、前記挿入方向およびその反対方向に移動可能な固定ピースと、当該固定ピースを前記挿入方向およびその反対方向に移動させる固定ピース移動部とを有するのが好ましい。
【００２５】
かかる構成よれば、固定ピースは、内部レールの一対の部品の一対の対向傾斜面に当接しているので、固定ピース移動部によって固定ピースを溝への挿入方向の反対方向に移動させることにより、固定ピースは、一対の部品を開く方向へ押し広げ、内部レールの幅を容易に広げることが可能である。一方、固定ピースを挿入方向へ移動させれば、内部レールの幅を縮めることが可能である。
【００２６】
前記固定ピースは、前記挿入方向と直交する方向の両側に側面を有し、当該両側面は、前記挿入方向の前方側ほど互いに離間するように湾曲した曲面からなるのが好ましい。
【００２７】
かかる構成によれば、固定ピースは曲面からなる両側面を有し、当該曲面からなる両側面の一部が一対の部品の対向傾斜面にそれぞれ常時接触しているので、固定ピースが溝への挿入方向の反対方向に移動する際に傾斜したりぐらついたりしても、固定ピースと上記の対向傾斜面との接触状態に変化がない。したがって、内部レールの一対の部品を確実に押し広げて、内部レールの幅を確実に広げることが可能である。
【００２８】
前記固定ピースは、前記挿入方向に形成されたねじ穴を有し、前記固定ピース移動部は、前記挿入方向に延び、前記ねじ穴に螺合するねじを有するのが好ましい。
【００２９】
かかる構成によれば、ねじを回転操作するだけで、ねじに螺合する固定ピースを容易に溝への挿入方向またはその反対方向へ容易に移動することが可能であり、操作性が良い。
【００３０】
前記レール保持部は、前記溝の開口付近において当該開口の内側に突出する突起が設けられているのが好ましい。
【００３１】
かかる構成によれば、溝に挿入された内部レールは、拡幅した状態では突起に干渉するので、拡幅後の内部レールが溝から出るおそれがなくなる。また、シートの展張状態を微調整する際には、内部レールの側面の角部と突起が係合することによって、シートの端部を適度の保持力で保持しながら容易かつ精度よくシートの展張状態を微調整することが可能である。
【００３２】
前記溝の開口を覆う蓋をさらに備えているのが好ましい。
【００３３】
かかる構成によれば、シートを取りつけた後に蓋によって溝の開口を覆うことにより、溝に挿入された内部レールを外部から隠すことが可能になり、美観が向上する。また、蓋の表面に光沢を付けるなどの美的処理を施せば、シート固定装置の美観がさらに向上する。
【００３４】
本発明のシート固定方法は、上記記載のシート固定装置を用いたシート固定方法であって、
前記シートの端部を前記内部レールの両側面に当接させた状態で、前記内部レールを前記レール保持部の前記溝に挿入することにより、前記シートの端部を前記溝の内壁と前記内部レールとの間に形成された隙間に配置する挿入工程と、
前記シートを展張した状態で前記内部レールの幅を前記拡幅手段によって広げることによって、前記シートの端部を前記内部レールの両側面とそれぞれに対向する前記内壁とによって挟んで前記溝内部に保持する保持工程と
を含むことを特徴とする。
【００３５】
上記のように、上記のシート固定装置を用いてシート端部を固定する場合、シートの端部を、内部レールの両側面に当接させた状態で、レール保持部の溝の内壁と内部レールとの間に形成された隙間に配置した後に、シートを展張した状態でレールの幅を拡幅手段によって広げることによって、シートの端部を内部レールの両側面とそれぞれに対向する内壁とによって挟んで溝内部に保持する。これにより、シートを枠体に展張した状態で保持することが可能である。したがって、シートに係止プレートを装着するなどの事前加工を施すことなく、シートを生地の状態で展張することが可能であるのでシートの施工性が非常に良い。また、拡幅手段を用いて内部レールの幅を変えることによって、シートの展張状態を容易に微調整することが可能である。
【００３６】
本発明のパネルは、上記記載のシート固定装置と、
前記シート固定装置によって端部が固定されたシートと
を備えたことを特徴とする。
【００３７】
上記構成のシート固定装置を備えたパネルでは、シートの端部を固定してシートを展張する作業が容易であり、シートの施工性が良く、しかも、シートの展張状態を現場で容易に微調整することが可能である。
【発明の効果】
【００３８】
本発明のシート固定装置、シート固定方法、およびパネルによれば、シートの施工性が良い。しかも、現場においてシートの展張状態の微調整をすることができる。
【図面の簡単な説明】
【００３９】
【図１】本発明の実施形態に係るシート固定装置が用いられたパネルを３枚組み合わせて構成されたシートウォールの全体斜視図である。
【図２】図１のパネルの角部付近の拡大斜視図である。
【図３】図２のシート固定装置の枠体とその周辺の蓋および支持部材との連結状態を示す斜視説明図である。
【図４】図１のシート固定装置の分解斜視図であって、内部レール、枠体側のレール保持部を有する外部レール、およびねじと固定ピースを有する規制手段を示す斜視図である。
【図５】図４のレール保持部を有する外部レールの横断面図である。
【図６】図１のシート固定装置を用いたシート固定方法の手順を示す断面説明図であって、シート固定前の状態を示す図である。
【図７】図１のシート固定装置を用いたシート固定方法の手順を示す断面説明図であって、シート固定後の状態を示す図である。
【図８】図７の内部レールの角部と外部レールの突起との係合部分を拡大した拡大図である。
【図９】本発明のパネルの他の設置例として、ボーダーファサードとして用いた状態を示す図である。
【図１０】本発明のパネルの他の設置例として、バックウォールとして用いた状態を示す図である。
【図１１】本発明のパネルの他の設置例として、吊り天井の天井パネルとして用いた状態を示す図である。
【発明を実施するための形態】
【００４０】
以下、添付図面を参照しながら本発明のシート固定装置およびそれを用いたパネルの好ましい実施の一形態について詳述する。
【００４１】
図１〜２には、本発明の実施形態であるシート５０が展張されたパネル１００の設置例として、３枚のパネル１００を備えたシートウォール２００が開示されている。シート５０は、薄くて軽量の合成樹脂製（例えば、ポリエステル製）のシートなどからなり、無地のシート、または文字や模様などの所望の意匠が施されたシートのいずれであってもよい。さらに、シート５０の背面側からの照明によってシートの意匠を目立たせて広告宣伝効果を向上させてもよい。
【００４２】
このシートウォール２００は、具体的には、立てられた状態で互いに直角に連結するように配置された３枚のパネル１００と、それぞれのパネル１００を裏側から支持する角柱状の複数の支持部材１０１と、各パネル１００の端部においてパネル１００の裏側（とくに支持部材１０１）を覆う側板（妻板）１０２とによって構成されている。
【００４３】
支持部材１０１は、軽量かつある程度の剛性を有する角柱状の部材であればよい。支持部材１０１としては、アルミニウムまたはアルミニウム合金などで製造された角柱状の部材（例えば、オクタノルム社（ＯＣＴＡＮＯＲＭ  ＧｍｂＨ）製のマキシマライト（商品名）など）、または角柱の木材などが採用されうる。本実施形態では、複数の角柱状の支持部材１０１の端部同士を連結して箱形に組み立てたものによって、パネル１００を裏側から支持している。パネル１００と支持部材１０１の端部との連結は、既存のロック部材１０３（図３参照）を用いた着脱自在の連結方法によって行われる。
【００４４】
各パネル１００は、シート固定装置１と、シート固定装置１によって四辺が固定されたシート５０とを備えている。
【００４５】
シート固定装置１は、シート５０を所定の場所に展張するためにシート５０の端部５１を固定することが可能な構成を有する。具体的には、本実施形態のシート固定装置１は、図３〜４に示されるように、矩形形状の枠体２と、枠体２の四辺の溝９に収容される内部レール３と、内部レール３を拡幅する拡幅手段４と、化粧蓋５とを備えている。
【００４６】
枠体２は、シート５０が展張される矩形形状の空間を形成する矩形形状のフレームである。枠体２の大きさについては本発明では特に限定しないが、大面積のシート５０を展張する場合には、例えば、縦３．６ｍ×横６ｍ程度の大型のフレームが用いられる。なお、枠体２は、矩形形状だけでなく、三角形形状、または五角形以上の多角形形状のフレームであってもよい。
【００４７】
枠体２は、枠体２の四辺を構成する少なくとも４本の外部レール６と、枠体２の角部を構成する４個のコーナー部材７とから構成されている。枠体２を構成するこれら外部レール６およびコーナー部材７は、軽量でかつある程度の剛性を有する材料で製造されるのが好ましく、アルミニウムまたはアルミニウム合金などで製造されるのが好ましい。外部レール６は、例えば、一辺５ｃｍの正方形断面を有する細長い角柱状の部材からなる。下側のコーナー部材７には、枠体２の高さおよび傾きを調整するためのアジャスタ２１（図３参照）が設けられている。
【００４８】
図３〜６に示されるように、外部レール６のそれぞれには、内部レール３を保持するために、上記の溝９を有するレール保持部８が形成されている。溝９は、枠体２の表面側（シート５０が張られる側）に形成されている。これにより、枠体２は、内部レール３を収容可能な溝９を有するレール保持部８を四辺それぞれに有する構成になっている。
【００４９】
なお、本実施形態の枠体２は、４本の外部レール６および４本コーナー部材７を組み合わせた構造であるが、本発明はこれに限定されるものではなく、一体成形された枠体２であってもよい。その場合も、枠体２の四辺の表面側に溝９を有するレール保持部８を有していればよい。
【００５０】
外部レール６の溝９の周囲には、図５に示されるように、コーナー部材７と連結するためのジョイントピース２０（図３〜４および図６参照）が外部レール６の長手方向から挿入される複数のジョイントピース挿入孔６ａと、枠体２を壁などの相手部材に固定するためのねじが貫通するねじ用貫通孔６ｂと、化粧蓋５の突起５ａ（図７参照）が係合される化粧蓋係合穴６ｃとを有している。ジョイントピース２０は、ジョイントピース挿入孔６ａに挿入された状態で、外部レール６に止めねじ２２によって固定されている。
【００５１】
本実施形態では、外部レール６におけるレール保持部８は、図５および図７に示されるように、溝９の開口付近において当該開口の内側に突出する突起１１が設けられ、当該突起１１と拡幅状態の内部レール３の角部３ｃ（図８参照）とが係合できるようになっている。
【００５２】
内部レール３は、図４および図６〜７に示されるように、幅Ｗ方向両側の側面、すなわち両側面３ａ、３ａを有する長尺のレール状の部材である。内部レール３は、当該両側面３ａ、３ａの間隔である幅Ｗを変えることが可能な構成を有する。
【００５３】
本実施形態の内部レール３は、溝９に挿入される挿入方向Ｄ１の前方側においてヒンジ結合され、幅Ｗの方向に開閉可能な一対の部品１２、１３を有する。
【００５４】
ヒンジ結合部１４は、一対の部品１２、１３を開閉可能にヒンジ結合することが可能な構成であればよい。例えば、図６に示されるヒンジ結合部１４は、一対の部品１２、１３のうちの一方の部品１２に設けられ、当該部品１２の長手方向（図６の紙面垂直方向）に延びる円柱突起１４ａと、当該円柱突起１４ａを回転自在に受ける受け部１４ｂとを有する。これにより、円柱突起１４ａを回転中心として、一対の部品１２、１３は搖動しながら開閉することが可能である。
【００５５】
また、本実施形態の一対の部品１２、１３の対向する部分には、挿入方向Ｄ１へ向かうにつれて互いに離間する方向に傾斜した一対の対向傾斜面１２ａ、１３ａが形成されている。
【００５６】
内部レール３の材質については本発明ではとくに限定されないが、拡幅手段４の近傍の位置においてシート５０の端部５１の展張状態を部分的に微調整することができるように軟質の樹脂で製造されているのが好ましい。軟質の樹脂は、拡幅手段４によって当該内部レール３の幅Ｗが広げられる力を受ける部分の近傍だけ部分的に弾性変形して当該幅Ｗの拡大が可能な性質を有するものから選定され、例えば、塩化ビニル樹脂などが選定される。
【００５７】
拡幅手段４は、内部レール３の長手方向に並んで互いに離間するように複数配置されている。例えば、全長３ｍの内部レール３に対して３０ｃｍごとに拡幅手段４を１０か所程度配置するようにすればよい。
【００５８】
拡幅手段４は、図４および図６〜７に示されるように、内部レール３の幅Ｗを広げることが可能な構成を有している。本実施形態の拡幅手段４は、一対の対向傾斜面１２ａ、１３ａに当接し、挿入方向Ｄ１およびその反対方向Ｄ２に移動可能な固定ピース１５と、固定ピース移動部１６とを有する。
【００５９】
固定ピース１５は、挿入方向Ｄ１と直交する方向の両側に側面１５ａを有し、当該両側面１５ａ、１５ａは、挿入方向Ｄ１の前方側ほど互いに離間するように湾曲した曲面からなる。したがって、固定ピース１５は、湾曲した両側面１５ａ、１５ａを有する略半円形または略半楕円形の断面形状を有する。
【００６０】
固定ピース１５は、挿入方向Ｄ１に形成されたねじ穴１５ｂを有する。本実施形態のねじ穴１５ｂは、貫通孔であるが、固定ピース１５が内部レール拡幅前の位置（図６参照）と拡幅後の位置（図７参照）との間を移動可能な深さがあれば貫通していなくてもよい。
【００６１】
固定ピース１５は、図４および図６に示されるように、内部レール３の内部空間３ｄにおいて、ピース支持突起３ｅによって所定の位置に支持されている。ピース支持突起３ｅは、内部レール３の長手方向に延びる薄い舌片状の突起であり、固定ピース１５が配置される予定の位置のところだけ切り欠かれている。固定ピース１５は、ピース支持突起３ｅ
の切欠き部分に挿入されることによって内部レール３の長手方向における所定の位置に位置決めされている。
【００６２】
固定ピース移動部１６は、当該固定ピース１５を挿入方向Ｄ１およびその反対方向Ｄ２に移動させることが可能な構成であればよい。本実施形態の固定ピース移動部１６は、挿入方向Ｄ１に延び、ねじ穴１５ｂに螺合するねじ１７と、ねじ１７の一対の部品１２、１３に対する挿入方向Ｄ１への相対的な移動を規制するワッシャなどの規制部材１８とを有する。ねじ１７は、内部レール３の一対の部品１２、１３の間の開口３ｂを通るように配置されている。ねじ１７の頭部１７ａは、内部レール３の外部に出ているので、枠体２の前方側（シート５０が張られる側）からドライバーなどの工具を用いてねじ１７の回転操作を容易に行うことが可能である。
【００６３】
図６〜７に示されるワッシャからなる規制部材１８は、ねじ１７が挿入された状態で内部レール３とねじ１７の頭部１７ａとの間に介在することにより、ねじ１７の挿入方向Ｄ１への移動を規制している。
【００６４】
規制部材１８は、ワッシャ以外のものであってもよく、例えば、ねじ１７の頭部１７ａを大きくして規制部材としての機能を奏するようにしてもよい。
【００６５】
内部レール３が溝９に収容された状態では、溝９の内壁１０と内部レール３との間には、シート５０の端部５１が配置される隙間１９が形成されている。
【００６６】
本実施形態のシート固定装置１は、上記のように、幅Ｗを変更可能な内部レール３、内部レール２が挿入可能な溝８を有する枠体２、および内部レール３を拡幅する拡幅手段４を備えている。これにより、シート固定装置１は、図６〜７に示されるように、拡幅手段４（具体的には固定ピース１５）が内部レール３の幅Ｗを広げることにより、隙間１９に配置されるシート５０の端部５１を内部レール３の両側面３ａ、３ａとそれぞれに対向する内壁１０とによって挟んで溝９内部に保持することを可能にしている。
【００６７】
上記のように構成された本実施形態のシート固定装置１を用いたシート固定方法は、以下の手順で行われる。
【００６８】
まず、図４および図６に示されるように、シート５０の端部５１を内部レール３の両側面３ａ、３ａに当接させた状態で、内部レール３と枠体２（具体的には外部レール６）のレール保持部８との間にシート５０の端部５１を挟みながら、内部レール３をレール保持部８の溝９に挿入することにより、シート５０の端部５１を溝９の内壁１０と内部レール３との間に形成された隙間１９に配置する（挿入工程）。
【００６９】
その後、図７に示されるように、シート５０を展張した状態で内部レール３の幅Ｗを拡幅手段４によって幅Ｗ１からＷ２へ広げることによって、シート５０の端部５１を内部レール３の両側面３ａ、３ａとそれぞれに対向する内壁１０とによって挟んで溝９内部に保持する（保持工程）。
【００７０】
この保持工程では、シート５０の端部５１を枠体２の四辺それぞれの溝９に保持する。枠体２の四辺のうちどこからシート５０の端部５１を保持するかの手順については、本発明はとくに限定されていない。例えば、枠体２の四辺について弱い保持力で仮保持した後に、シート５０の展張状態を上下方向および左右方向で微調整し、その後、枠体２の四辺について強い保持力でシート５０の端部５１を保持してもよい。または、シート５０を左右方向に展張した状態で枠体２の左右２辺で保持した後、シート５０を上下方向に展張した状態で上下２辺を保持してもよい。
【００７１】
なお、シート５０を左右方向に展張した状態で枠体２の左右２辺で保持するだけ、または、シート５０を上下方向に展張した状態で上下２辺を保持するだけでもよい。
【００７２】
本実施形態では、拡幅手段４による内部レール３の拡幅動作は、具体的には以下のようにして行われる。すなわち、図６〜７に示されるように、ねじ１７を回転させることによって、固定ピース１５を溝９への挿入方向Ｄ１とは反対の反対方向Ｄ２に移動させることにより、固定ピース１５は、一対の部品１２、１３の一対の対向傾斜面１２ａ、１３ａを押しながら一対の部品１２、１３を開く方向へ押し広げる。これにより、内部レール３の幅Ｗを容易に広げることが可能である。
【００７３】
また、本実施形態では、図７〜８に示されるように、外部レール６のレール保持部８の溝９の開口に突起１１が形成されているので、内部レール３の側面３ａの角部３ｃが上記の突起１１と係合することにより、その係合部分でシート５０の端部５１をしっかり保持することができ、かつ、内部レール３が溝９の外部に脱落するおそれを回避することが可能である。
【００７４】
なお、上記の保持工程によって、シート５０の端部５１を枠体２の四辺それぞれの溝９に保持した後、溝９からはみ出たシート５０の端部５１は、上記の保持工程の後にカットされるか、または溝９の内部に折り畳まれるようにすればよい。
【００７５】
最後に、化粧蓋５によって溝９の開口を覆う。化粧板５は、図１〜２に示されるように枠体２の表面側の溝９の開口をすべて覆い隠すように設置される。化粧板５を枠体２に取り付ける方法は本発明ではとくに限定しないが、例えば、図７に示されるように、化粧板５に突起５ａおよび受け部５ｂを設けておき、突起５ａを枠体２の外部レール６の化粧蓋係合穴６ｃに係合するとともに、受け部５ｂによって内部レール３の表面側に設けられた円柱突起３ｆに嵌合するようにすれば、化粧蓋５を複数個所で支持することが可能になる。この化粧蓋５の構成では、着脱自在の取り付けでありながら取付後は脱落のおそれが低減する。
【００７６】
（本実施形態の特徴）
（１）
上記のように構成された本実施形態のシート固定装置１およびそれを用いたパネル１００では、シート５０の端部５１を固定してシート５０を展張する作業が容易であり、シートの施工性が良い。すなわち、このシート固定装置１では、図６〜７に示されるように、シート５０の端部５１を内部レール３によって押さえながら内部レール３と枠体２の四辺それぞれのレール保持部８の溝９の内壁１０との間に形成された隙間１９に挿入した状態で、拡幅手段４によって内部レール３の幅Ｗを広げる。これにより、シート５０の端部５１を内部レール３の両側面３ａ、３ａとそれぞれに対向する内壁１０とによって挟んで溝９内部に展張した状態で保持することができ、シート５０を展張した状態で枠体２に固定することができる。したがって、上記の構成では、上述の特許文献１記載の展張装置のように、シートを展張する前にあらかじめシートの周縁部に係止プレートをシートの縫い付けなどによって装着する必要がなく、シート５０を生地の状態のまま現場で容易に展張することが可能であり、シート５０の施工性が非常に良い。
【００７７】
また、上記実施形態のシート固定装置１およびそれを用いたパネル１００では、シート５０の展張状態を現場で容易に微調整することが可能である。すなわち、展張状態を微調整する場合には、図７に示されるシート５０が展張状態で保持されている状態から、拡幅手段４のねじ１７を回転操作して内部レール３の幅Ｗを狭めてシート５０の端部５１を内部レール３とレール保持部８の溝９の内壁１０との間の挟む力を弱める。具体的には、ねじ１７を回転操作して固定ピース１５を図７の位置から挿入方向Ｄ１へ移動させる。このとき、内部レール３の一対の部品１２、１３は、固定ピース１５から一対の対向傾斜面１２ａ、１３ａに受ける拡幅方向への押圧力が弱められ、シート５０の端部５１からの圧力を外周に受けて内部レール３の幅Ｗが狭まるので、その結果、上記のシート端部を挟む力を弱めることができる。これにより、シート５０の展張状態（具体的には張力）を容易に微調整することが可能である。また、展張状態を微調整した後にねじ１７を回転操作して内部レール３の幅Ｗを広げて内部レール３と溝９の内壁１０との間の挟む力を強めればシート５０を展張した状態（図７の状態）で確実に保持することが可能である。
【００７８】
（２）
上記実施形態のシート固定装置１では、拡幅手段４は、図４に示されるように、内部レール３の長手方向に並ぶように複数配置されている。この構成では、複数の拡幅手段４から内部レール３へ拡幅方向の力が分散して与えられるので、シート５０の端部５１を内部レール３の長手方向全体にわたって確実に保持することが可能である。
【００７９】
（３）
上記実施形態のシート固定装置１では、内部レール３は、拡幅手段４によって当該内部レール３の幅Ｗが広げられる力を受ける部分の近傍だけ部分的に弾性変形して当該幅Ｗの拡大が可能な性質を有する軟質の樹脂によって製造されている、したがって、拡幅手段４の操作によって設置場所の近傍だけ内部レール３を幅Ｗの拡大および縮小が可能になる。その結果、拡幅手段４の近傍の位置においてシート５０の端部５１の展張状態を部分的に微調整する場合には、拡幅手段４を操作して拡幅手段４から内部レール３へ与える力を弱めて拡幅手段４の近傍だけ内部レール３の幅Ｗを縮小してシート５０の端部５１を保持する力を弱めることが可能になり、シート５０の展張状態を部分的に微調整することが可能である。微調整した後は、内部レール３を拡幅すればシート５０を展張した状態で確実に保持することが可能である。
【００８０】
とくに、本実施形態のように拡幅手段４が内部レール３の長手方向に並ぶように複数配置されている構成では、ある１つの拡幅手段４のみ操作してシート５０の端部５１を保持する力を弱め、他の拡幅手段４によるシート５０の端部５１を保持する力を維持することが可能であり、複数の拡幅手段４のそれぞれの部分についてシート５０の展張状態を個別に微調整することが可能である。
【００８１】
なお、本実施形態では、内部レール３を軟質樹脂によって製造しているが、本発明はこれに限定されるものではなく、軟質樹脂以外の材料で製造してもよい。
【００８２】
（４）
上記実施形態のシート固定装置１では、図４および図６に示されるように、内部レール３は、溝９に挿入される挿入方向Ｄ１の前方側のヒンジ結合部１４においてヒンジ結合され、幅Ｗの方向に開閉可能な一対の部品１２、１３を有する。かかる構成によれば、簡単な構造で確実に幅Ｗを変えることが可能な内部レール３を構成することが可能である。そのため、内部レール３の製造が容易であり、故障などの不具合が少ない。
【００８３】
（５）
上記実施形態のシート固定装置１では、図４および図６に示されるように、一対の部品１２、１３の対向する部分には、挿入方向Ｄ１へ向かうにつれて互いに離間する方向に傾斜した一対の対向傾斜面１２ａ、１３ａが形成されている。拡幅手段４は、一対の対向傾斜面１２ａ、１３ａに当接し、挿入方向Ｄ１およびその反対方向Ｄ２に移動可能な固定ピース１５と、当該固定ピース１５を挿入方向Ｄ１およびその反対方向Ｄ２に移動させる固定ピース移動部１６とを有する。
【００８４】
かかる構成よれば、固定ピース１５は、内部レール３の一対の部品１２、１３の一対の対向傾斜面１２ａ、１３ａに当接しているので、固定ピース移動部１６によって固定ピース１５を溝９への挿入方向Ｄ１の反対方向Ｄ２に移動させることにより、固定ピース１５は、一対の部品１２、１３を開く方向へ押し広げ、内部レール３の幅Ｗを容易に広げることが可能である。一方、固定ピース１５を挿入方向Ｄ１へ移動させれば、内部レール３の幅Ｗを縮めることが可能である。
【００８５】
（６）
上記実施形態のシート固定装置１では、図４および図６に示されるように、固定ピース１５は、挿入方向Ｄ１と直交する方向の両側に側面１５ａを有し、当該両側面１５ａ、１５ａは、挿入方向Ｄ１の前方側ほど互いに離間するように湾曲した曲面からなる。かかる構成では、固定ピース１５は曲面からなる両側面１５ａ、１５ａを有し、当該曲面からなる両側面１５ａ、１５ａの一部が一対の部品１２、１３の対向傾斜面１２ａ、１３ａにそれぞれ常時接触しているので、固定ピース１５が溝９への挿入方向Ｄ１の反対方向Ｄ２に移動する際に傾斜したりぐらついたりしても、固定ピース１５と上記の対向傾斜面１２ａ、１３ａとの接触状態に変化がない。したがって、内部レール３の一対の部品１２、１３を確実に押し広げて、内部レール３の幅Ｗを確実に広げることが可能である。
【００８６】
（７）
上記実施形態のシート固定装置１では、図４および図６〜７に示されるように、固定ピース１５は、挿入方向Ｄ１に形成されたねじ穴１５ｂを有し、固定ピース移動部１６は、挿入方向Ｄ１に延び、ねじ穴１５ｂに螺合するねじ１７を有する。
【００８７】
この構成では、ねじ１７を回転操作するだけで、ねじ１７に螺合する固定ピース１５を容易に溝９への挿入方向Ｄ１またはその反対方向Ｄ２へ容易に移動することが可能であり、操作性が良い。
【００８８】
また、本実施形態の固定ピース移動部１６は、ねじ１７の一対の部品１２、１３に対する挿入方向Ｄ１への相対的な移動を規制するワッシャなどの規制部材１８をさらに有している。そのため、ねじ１７は、ワッシャなどの規制部材１８によって、一対の部品１２、１３に対する挿入方向Ｄ１への相対的な移動が規制されているので、ねじ１７が固定ピース１５に追随して挿入方向Ｄ１へ移動することがない。
【００８９】
（８）
上記実施形態のシート固定装置１では、図５および図７〜８に示されるように、外部レール６のレール保持部８は、溝９の開口付近において当該開口の内側に突出する突起１１が設けられている。かかる構成によれば、溝９に挿入された内部レール３は、拡幅した状態では突起１１に干渉するので、拡幅後の内部レール３が溝９から出るおそれがなくなる。また、シート５０の展張状態を微調整する際には、内部レール３の側面３ａの角部３ｃと突起１１が係合することによって、シート５０の端部５１を適度の保持力で保持しながら容易かつ精度よくシート５０の展張状態を微調整することが可能である。
【００９０】
なお、上記のような溝９の開口付近の突起１１が無い構成であっても、シート５０の端部５１を内部レール３の両側面３ａ、３ａとそれぞれに対向する溝９の内壁１０とによって挟むことによって溝９の内部に保持することは可能である。しかし、上記の突起１１が有る方が、上記の作用効果（内部レール３の溝９からの離脱防止、および内部レール３の角部３ｃと突起１１との係合による微調整の容易化および精度向上）を得られる点で好ましい。
【００９１】
（９）
上記実施形態のシート固定装置１では、図３および図７に示されるように、溝９の開口を覆う化粧蓋５をさらに備えている。この構成では、シート５０を取りつけた後に化粧蓋５によって溝９の開口を覆うことにより、溝９に挿入された内部レール３を外部から隠すことが可能になり、美観が向上する。また、化粧蓋５の表面に光沢を付けるなどの美的処理を施せば、シート固定装置１の美観がさらに向上する。
【００９２】
なお、シート固定装置１は、溝９の開口を覆う蓋を有していなくてもよく、蓋が無い場合であっても、上記の本発明の作用効果（内部レール３の拡幅によるシート施工性の向上および展張状態の微調整の実現）を奏することは可能である。
【００９３】
（１０）
上記実施形態のシート固定装置１を用いたシート固定方法では、図６〜７に示されるように、シート５０の端部５１を、内部レール３の両側面３ａに当接させた状態で、内部レール３と枠体２のレール保持部８との間にシート５０の端部５１を挟みながら、レール保持部８の溝９の内壁１０と内部レール３との間に形成された隙間１９に配置した後に、レールの幅Ｗを拡幅手段４によって広げることによって、シート５０の端部５１を展張した状態で内部レール３の両側面３ａ、３ａとそれぞれに対向する内壁１０とによって挟んで溝９内部に保持する。これにより、シート５０の端部５１を枠体２に展張した状態で保持することが可能である。したがって、シート５０に係止プレートを装着するなどの事前加工を施すことなく、シート５０を生地の状態で展張することが可能であるので、シートの施工性が非常に良い。また、拡幅手段４を用いて内部レール３の幅Ｗを変えることによって、シート５０の展張状態を容易に微調整することが可能である。
【００９４】
（１１）
上記のように構成されたシート固定装置１およびシート５０を備えたパネル１００は、大面積のシート５０を展張した状態で任意の場所に容易に設置することが可能であり、しかも展張状態を容易に微調整することが可能である。また、パネル１００は、薄くて軽いシート５０（例えば塩化ビニル製シート）によって壁を構成しているので、大面積でありながら軽くて、設置自由度が非常に高い。
【００９５】
したがって、上記図１のように、パネル１００複数枚立てることによってシートウォール２００を構成するだけでなく、種々の用途にもパネル１００を使用することが可能である。
【００９６】
例えば、図９に示されるように複数枚の横長のパネル１００によって展示ブースの上部を装飾するボーダーファサードとして用いることが可能である。
【００９７】
また、図１０に示されるように、設置スペースの壁に平行に配置したり、または当該設置スペースの隅を隠すように配置してバックウォールとして用いることも可能である。
【００９８】
さらに、図１１に示されるように、吊天井の天板としてパネル１００を用いることが可能である。
【００９９】
（変形例）
（Ａ）
上記の実施形態では、本実施形態の内部レール３は、溝９に挿入される挿入方向Ｄ１の前方側においてヒンジ結合され、幅Ｗの方向に開閉可能な一対の部品１２、１３からなる例が示されているが、本発明はこれに限定されるものではない。本発明では、内部レール３は、幅Ｗを変えることが可能な構成を有すればいかなる構成であってもよい。例えば、内部レールは、互いに近づく方向および離れる方向に直線移動が可能な一対の部品などによって構成されてもよい。
【０１００】
（Ｂ）
また、上記実施形態では、内部レール３の幅Ｗを広げる拡幅手段として、図４に示されるように、内部レール３の挿入方向Ｄ１およびその反対方向Ｄ２に移動可能な固定ピース１５と、当該固定ピース１５をそれらの方向へ移動させるための固定ピース移動部１６（ねじ１７、規制部材１８を有する構成）とを備えた拡幅手段４を例に挙げて説明したが、本発明はこの構成に限定されるものではない。
【０１０１】
本発明では、内部レール３の幅Ｗを広げることが可能な構成であれば本発明の拡幅手段として採用されうる。したがって、上記変形例（Ａ）のように、内部レールが互いに近づく方向および離れる方向に直線移動が可能な一対の部品によって構成されている場合には、その内部レールを拡幅させる拡幅手段として、例えば、これら一対の部品を互いに近づく方向および離れる方向に直線移動させることが可能な機械的または流体ジャッキのような機構を有する拡幅手段を採用することも可能である。
【０１０２】
（Ｃ）
また、上記実施形態では、図６に示されるように、内部レール３の一対の部品１２、１３の互いに対向する部分に一対の対向傾斜面１２ａ、１２ｂが形成され、半円形また半楕円形断面形状の固定ピース１５がこれら一対の対向傾斜面１２ａ、１２ｂを押すことによって内部レール３の拡幅を行っているが、本発明はこれに限定されるものではない。
【０１０３】
本発明の変形例として、一対の部品１２、１３の互いに対向する部分を幅が開く方向へ押すことができるように、固定ピース１５の外周面には上記挿入方向Ｄ１から傾斜した一対の傾斜面を形成するようにしてもよい。
【０１０４】
（Ｄ）
上記実施形態では、拡幅手段４が、図４に示されるように、内部レール３の長手方向に並んで互いに離間するように複数配置されているが、本発明はこれに限定されるものではない。本発明の変形例として、例えば、内部レール３がある程度の剛性を有する材料で製造されている場合には、拡幅手段４が内部レール３の中間位置に一か所だけ設置されていても、その拡幅手段４によって内部レール３の全長にわたって幅Ｗを広げることが可能である。または、内部レール３が軟質の樹脂の場合であっても、拡幅手段４の固定ピース１５が内部レール３の全長とほぼ同じ長さを有していれば、拡幅手段４は１つの固定ピース１５を用いて内部レール３の全長にわたって幅Ｗを広げることが可能である。
【０１０５】
これらの変形例の場合、拡幅手段４が１か所だけ設置されているので、拡幅手段４の操作（具体的にはねじ１７の回転操作）は１回で済むので、シートの施工性が向上する。
【符号の説明】
【０１０６】
１  シート固定装置
２  枠体
３  内部レール
３ａ、３ａ  両側面
４  拡幅手段
５  化粧蓋
６  外部レール
７  コーナー部材
８  レール保持部
９  溝
１０  内壁
１１  突起
１２、１３  一対の部品
１２ａ、１３ａ  対向傾斜面
１４  ヒンジ部
１５  固定ピース
１５ａ、１５ａ  両側面
１５ｂ  ねじ穴
１６  固定ピース移動部
１７  ねじ
１８  規制部材
１９  隙間
５０  シート
５１  シート端部
１００  パネル
２００  シートウォール
Ｄ１  挿入方向
Ｄ２  反対方向
Ｗ  幅
【図１】
2019219611.tif 000003
【図２】
2019219611.tif 000004
【図３】
2019219611.tif 000005
【図４】
2019219611.tif 000006
【図５】
2019219611.tif 000007
【図６】
2019219611.tif 000008
【図７】
2019219611.tif 000009
【図８】
2019219611.tif 000010
【図９】
2019219611.tif 000011
【図１０】
2019219611.tif 000012
【図１１】
2019219611.tif 000013
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
シートを所定の場所に展張するためにシートの端部を固定する装置において、
幅を変えることが可能な内部レールと、
前記内部レールを収容可能な溝を有するレール保持部を備えた枠体と、
前記内部レールの幅を広げる拡幅手段とを備え、
前記内部レールが前記溝に収容された状態では、前記溝の内壁と前記内部レールとの間には、前記シートの端部が配置される隙間が形成され、
前記拡幅手段が前記内部レールの幅を広げることにより、前記隙間に配置される前記シートの端部を前記内部レールの幅方向両側の側面とそれぞれに対向する前記内壁とによって挟んで前記溝内部に保持することが可能な機能を有しており、
前記内部レールは、前記溝に挿入される挿入方向の前方側においてヒンジ結合され、幅方向に開閉可能な一対の部品を有する、
ことを特徴とするシート固定装置。
【請求項２】
前記拡幅手段は、前記内部レールの長手方向に並ぶように複数配置されている、請求項１に記載のシート固定装置。
【請求項３】
前記内部レールは、前記拡幅手段によって当該内部レールの幅が広げられる力を受ける部分の近傍だけ部分的に弾性変形して当該幅の拡大が可能な性質を有する軟質の樹脂によって製造されている、
請求項１または２に記載のシート固定装置。
【請求項４】
前記一対の部品の対向する部分には、前記挿入方向へ向かうにつれて互いに離間する方向に傾斜した一対の対向傾斜面が形成され、
前記拡幅手段は、前記一対の対向傾斜面に当接し、前記挿入方向およびその反対方向に移動可能な固定ピースと、当該固定ピースを前記挿入方向およびその反対方向に移動させる固定ピース移動部とを有する、
請求項１に記載のシート固定装置。
【請求項５】
前記固定ピースは、前記挿入方向と直交する方向の両側に側面を有し、当該両側面は、前記挿入方向の前方側ほど互いに離間するように湾曲した曲面からなる請求項４記載のシート固定装置。
【請求項６】
前記固定ピースは、前記挿入方向に形成されたねじ穴を有し、
前記固定ピース移動部は、前記挿入方向に延び、前記ねじ穴に螺合するねじを有する、
請求項４または５に記載のシート固定装置。
【請求項７】
前記レール保持部は、前記溝の開口付近において当該開口の内側に突出する突起が設けられている、請求項１〜６のいずれか１項に記載のシート固定装置。
【請求項８】
前記溝の開口を覆う蓋をさらに備えている、請求項１〜７のいずれか１項に記載のシート固定装置。
【請求項９】
請求項１に記載のシート固定装置と、
前記シート固定装置によって端部が固定されたシートと
を備えたことを特徴とするパネル。
【手続補正３】
【補正対象書類名】明細書
【補正対象項目名】０００１
【補正方法】変更
【補正の内容】
【０００１】
本発明は、シートを所定の場所に展張するためにシート端部を固定するシート固定装置、ならびに当該シート固定装置およびシートを備えたパネルに関する。
【手続補正４】
【補正対象書類名】明細書
【補正対象項目名】００１４
【補正方法】変更
【補正の内容】
【００１４】
上記の課題を解決するために、本発明のシート固定装置は、シートを所定の場所に展張するためにシートの端部を固定する装置において、
外方を向く両側面を有する内部レールであって、幅を変えることが可能な内部レールと、
前記内部レールを収容可能な溝を有するレール保持部を備えた枠体と、
前記内部レールの幅を広げる拡幅手段とを備え、
前記内部レールが前記溝に収容された状態では、前記溝の内壁と前記内部レールとの間には、前記シートの端部が配置される隙間が形成され、
前記拡幅手段が前記内部レールの幅を広げることにより、前記隙間に配置される前記シートの端部を前記内部レールの幅方向両側の側面とそれぞれに対向する前記内壁とによって挟んで前記溝内部に保持することが可能な機能を有しており、
前記内部レールは、前記溝に挿入される挿入方向の前方側においてヒンジ結合され、幅方向に開閉可能な一対の部品を有する、
ことを特徴とする。
【手続補正５】
【補正対象書類名】明細書
【補正対象項目名】００１６
【補正方法】変更
【補正の内容】
【００１６】
また、この構成では、シートの展張状態を現場で容易に微調整することが可能である。すなわち、展張状態を微調整する場合には、シートが展張状態で保持されている状態から、拡幅手段を操作して内部レールの幅を狭めてシートの端部を内部レールとレール保持部の溝の内壁との間の挟む力を弱める。これにより、シートの展張状態（具体的には張力）を容易に微調整することが可能である。また、微調整した後に拡幅手段を操作して内部レールの幅を広げて内部レールと溝の内壁との間の挟む力を強めればシートを展張した状態で確実に保持することが可能である。
また、上記の構成によれば、前記内部レールは、前記溝に挿入される挿入方向の前方側においてヒンジ結合され、幅方向に開閉可能な一対の部品を有するので、簡単な構造で確実に幅を変えることが可能な内部レールを構成することが可能である。そのため、内部レールの製造が容易であり、故障などの不具合が少ない。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３８
【補正方法】変更
【補正の内容】
【００３８】
本発明のシート固定装置、およびパネルによれば、シートの施工性が良い。しかも、現場においてシートの展張状態の微調整をすることができる。